(57)【要約】【課題】  長尺な笠木を高所に位置するバルコニー壁に簡単且つ強固に取付けることができる笠木の取付け構造を提供する。【解決手段】  バルコニー壁１の上端部に取付金具２を固着する。取付金具２のバルコニー壁１の中間よりも一側面３０側に偏った位置に係止部４を設ける。中央横片５ｃと、中央横片５ｃの幅方向の両端から下方に突設した両側縦片５ａ、５ｂとを有する笠木３を形成する。笠木３のバルコニー壁１の他側面３１側に位置する側縦片５ｂに固着具打入部７を形成する。笠木３のバルコニー壁１の中間よりも一側面側に偏った位置に被係止部６を設ける。笠木３の両側縦片５ａ、５ｂ間にバルコニー壁１の上端部及び取付金具２を配置する。取付金具２の係止部４に笠木３の被係止部６を係止する。笠木３の固着具打入部７を該固着具打入部７に打入した固着具８にてバルコニー壁１の上端部に固着する。【選択図】      図１
2005105671.tif 000002
【特許請求の範囲】
【請求項１】
バルコニー壁の上端部に取付金具を固着し、取付金具のバルコニー壁の厚み方向における中間よりも一側面側に偏った位置に係止部を設け、中央横片と、中央横片の幅方向の両端から下方に突設した両側縦片とを有する笠木を形成し、笠木の両側縦片の内、バルコニー壁の他側面側に位置する側縦片に固着具打入部を形成し、笠木のバルコニー壁の厚み方向における中間よりも一側面側に偏った位置に被係止部を設け、笠木の両側縦片間にバルコニー壁の上端部及び取付金具を配し、取付金具の係止部に笠木の被係止部を係止し、笠木の固着具打入部を該固着具打入部に打入した固着具にてバルコニー壁の上端部に固着し、前記係止部と被係止部の係止と、固着具による固着具打入部のバルコニー壁への固着のみで、笠木をバルコニー壁に取付けてなることを特徴とする笠木の取付け構造。
【請求項２】
取付金具に上方に突出する起立片を設けると共に該起立片にバルコニー壁の他側面側に突出する係止用突片を設け、これら起立片及び係止用突片にて上記取付金具の係止部を形成し、笠木の中央横片に下方に突出する垂下片を設けると共に該垂下片にバルコニー壁の一側面側に突出する被係止用突片を設け、これら垂下片及び被係止用突片にて上記笠木の被係止部を形成し、前記係止用突片の下面に被係止用突片の上面を当接して係止部に被係止部を係止し、上記笠木の固着具打入部をバルコニー壁又は取付金具に当接し、前記笠木の両側縦片の内、バルコニー壁の一側面側に位置する側縦片とバルコニー壁との間及び、前記笠木のバルコニー壁の一側面側に位置する側縦片と取付金具との間の夫々に、バルコニー壁厚み方向における前記係止用突片の先端と被係止用突片の先端との間の距離よりも大きい隙間を形成してなることを特徴とする請求項１記載の笠木の取付け構造。
【発明の詳細な説明】
【技術分野】
【０００１】
本発明は、バルコニー壁の上端部を覆う笠木の取付け構造に関する。
【背景技術】
【０００２】
従来から建物の２階などの高所に形成されたバルコニー壁の上端部に笠木を取付けたものが知られており、この種の笠木の取付け構造としては、バルコニー壁の上端部に断面下向きコ字状の取付金具をバルコニー壁の上端部に被せた状態で固着し、長尺で断面下向きコ字状の笠木の両側縦片の夫々の下端に内方に突出する係止爪部を形成し、笠木の内側にバルコニー壁の上端部及び取付金具を配し、該笠木の両係止爪部の夫々を前記断面下向きコ字状の取付金具の両側縦片の夫々の下端に係止し、これにより笠木をバルコニー壁の上端部に取付けたものが知られており、このようにバルコニー壁の上端部に笠木を取付けることでバルコニー壁の上端部を笠木で覆い隠し、これによりバルコニー壁の上端部の外観を向上すると共にバルコニー壁の上端部が雨水に侵されることを防止していた（例えば特許文献１）。
【０００３】
しかしながら上記特許文献１に示す笠木の取付け構造にあっては、笠木が係止のみで取付金具に取付けられているため、笠木と取付金具との取付け強度が弱いという問題があり、また上記笠木をバルコニー壁に取付ける際には、作業者は危険な高所において長尺の笠木をその両側の２箇所に設けた係止爪部を同時に取付金具に係止しなければならず、このような取付け作業は非常に面倒であった。
【０００４】
また上記の笠木の両係止爪部による係止に加えて、断面下向きコ字状の笠木の中央横片を湿式の接着剤により上記取付金具の上面に接着し、両係止爪部による係止と接着剤による接着とで笠木を取付金具に取付けたものも知られており、笠木を湿式の接着剤を用いて取付金具に接着することで、笠木を取付金具に強固に取付けている（例えば特許文献２）。
【０００５】
しかしながら、このものは上記特許文献１と同様に作業者は危険な高所において長尺の笠木の両側に設けた係止爪部を同時に係止する取付け作業を行わなければならず、更にこの特許文献２に示すものは、笠木を湿式の接着剤で取付金具に接着しているため、高所において接着剤を塗布する作業を行ったり、塗布した接着剤を乾燥させる必要があり、笠木の取付け作業は更に面倒であった。
【０００６】
また断面下向きコ字状の笠木の両側縦片の夫々に固着具打入部を設け、この断面下向きコ字状の笠木の内側にバルコニー壁の上端部を配し、笠木の両固着具打入部の夫々を該固着具打入部に打入したビスのような固着具にてバルコニー壁の上端部の両面の夫々に固着し、笠木と取付金具との取付け強度を強くすることも考えられるが、この場合、笠木をバルコニー壁に取付ける際には、作業者は危険な高所において長尺の笠木の両固着打入部の夫々を固着具にてバルコニー壁の上端部の両側面に固着する必要があり、また笠木を固着具にて取付金具に取付ける際には笠木が位置決めされておらず、これらにより笠木の取付け作業が面倒である。また特にバルコニーの外側には作業者が立つための足場がないため、バルコニー壁の上端部の両側面の内、屋外側に面した側面に固着具打入部を固着する際には、作業者は該固着具打入部から遠い屋内側から行わなければならず、このような固着作業は非常に面倒であった。
【特許文献１】特開２００１−２０７６０４号公報
【特許文献２】特開平６−２６４５８２号公報
【発明の開示】
【発明が解決しようとする課題】
【０００７】
本発明は上記の従来の問題点に鑑みて発明したものであって、長尺の笠木を危険な高所に形成したバルコニー壁に簡単且つ強固に取付けることができる笠木の取付け構造を提供することを課題とするものである。
【課題を解決するための手段】
【０００８】
上記課題を解決するために本発明に係る笠木の取付け構造は、バルコニー壁１の上端部に取付金具２を固着し、取付金具２のバルコニー壁１の厚み方向Ａにおける中間よりも一側面３０側に偏った位置に係止部４を設け、中央横片５ｃと、中央横片５ｃの幅方向の両端から下方に突設した両側縦片５ａ、５ｂとを有する笠木３を形成し、笠木３の両側縦片５ａ、５ｂの内、バルコニー壁１の他側面３１側に位置する側縦片５ｂに固着具打入部７を形成し、笠木３のバルコニー壁１の厚み方向Ａにおける中間よりも一側面３０側に偏った位置に被係止部６を設け、笠木３の両側縦片５ａ、５ｂ間にバルコニー壁１の上端部及び取付金具２を配し、取付金具２の係止部４に笠木３の被係止部６を係止し、笠木３の固着具打入部７を該固着具打入部７に打入した固着具８にてバルコニー壁１の上端部に固着し、前記係止部４と被係止部６の係止と、固着具８による固着具打入部７のバルコニー壁１への固着のみで、笠木３をバルコニー壁１に取付けてなることを特徴とする。
【０００９】
上記の係止部４と被係止部６の係止と、固着具８による固着具打入部７のバルコニー壁１への固着のみで、笠木３をバルコニー壁１に取付けるという笠木の取付け構造により、バルコニー壁１の一側面３０側のみに設けた被係止部６を係止部４に係止するだけで簡単に長尺の笠木３を高所に位置する取付金具２に係止することができ、しかも前記係止部４と被係止部６との係止により笠木３を仮止めした状態で固着具打入部７をバルコニー壁１の上端部に固着することができ、これらにより長尺の笠木３の取付けが簡単になり、尚且つこの場合、バルコニー壁１の上端部に笠木３の固着具打入部７を固着具８により固着することで笠木３を取付金具２に強固に取付けることができる。
【００１０】
また請求項２は請求項１において、取付金具２に上方に突出する起立片９を設けると共に該起立片９にバルコニー壁１の他側面３１側に突出する係止用突片１０を設け、これら起立片９及び係止用突片１０にて上記取付金具２の係止部４を形成し、笠木３の中央横片５ｃに下方に突出する垂下片１２を設けると共に該垂下片１２にバルコニー壁１の一側面３０側に突出する被係止用突片１３を設け、これら垂下片１２及び被係止用突片１３にて上記笠木３の被係止部６を形成し、前記係止用突片１０の下面に被係止用突片１３の上面を当接して係止部に被係止部６を係止し、上記笠木３の固着具打入部７をバルコニー壁１又は取付金具２に当接し、前記笠木３の両側縦片５ａ、５ｂの内、バルコニー壁１の一側面３０側に位置する側縦片５ａとバルコニー壁１との間及び、前記笠木３のバルコニー壁１の一側面３０側に位置する側縦片５ａと取付金具２との間の夫々に、バルコニー壁厚み方向Ａにおける前記係止用突片１０の先端と被係止用突片１３の先端との間の距離よりも大きい隙間Ｓ１、Ｓ２を形成してなることを特徴とする。
【００１１】
上記の取付け構造を有する笠木３をバルコニー壁１に取付ける場合は、バルコニー壁１の上方にバルコニー壁１の上端部を覆う笠木３を配置した後、この笠木３を下方に移動して笠木３の両側縦片５ａ、５ｂ間にバルコニー壁１の上端部及び取付金具２を配し、この後、笠木３をバルコニー壁厚み方向Ａにおける一側面３０側の方向にスライドして、笠木３の固着具打入部７をバルコニー壁１又は取付け金具２に当接すると共に、取付金具２の係止用突片１０の下面に笠木３の被係止用突片１３の上面を当接して係止部４に被係止部６を係止し、この後、笠木３の固着具打入部７を該固着具打入部７に打入した固着具８にてバルコニー壁１の上端部に固着する。即ちこの笠木３の取付け構造にあっては、バルコニー壁１の上方に配した笠木３を下方に移動した後、該笠木３をバルコニー壁厚み方向Ａにおける一側面３０側の方向にスライドするといった動作だけで、笠木３にてバルコニー壁１の上端部及び取付金具２を覆うこと、笠木３が上方に浮き上がらないように係止部４と被係止部６とを係止すること、笠木３をその固着具打入部７がバルコニー壁１の上端部又は取付け金具２に当接した固着可能な状態に位置決めすることを、同時に行える。さらには上記笠木３をバルコニー壁１に取付けた状態においては、笠木３の両側縦片５ａ、５ｂの内、バルコニー壁１の一側面３０側に位置する側縦片５ａとバルコニー壁１との間及び、前記笠木３のバルコニー壁１の一側面３０側に位置する側縦片５ａと取付金具２との間の夫々に、バルコニー壁厚み方向Ａにおける前記係止用突片１０の先端と被係止用突片１３の先端との間の距離よりも大きい隙間Ｓ１、Ｓ２を形成してあるので、バルコニー壁１及び取付金具２の上方に配した笠木３を下方に移動して笠木３の内側にバルコニー壁１の上端部及び取付金具２を配する際には、取付金具２の係止部４と笠木３の被係止部６とが干渉することがなくなり、笠木３の取付けが一層簡単になる。
【発明の効果】
【００１２】
本発明では長尺な笠木を高所に位置するバルコニー壁に簡単且つ強固に取付けることができる。
【発明を実施するための最良の形態】
【００１３】
以下本発明を添付図面に示す実施形態に基いて説明する。図１に示す本発明の笠木の取り付け構造は、バルコニーの外壁となるバルコニー壁１に取付金具２を用いて断面略下向きコ字状の笠木３を取り付けている。バルコニーは例えば建物の２階等の高所に形成されており、図示しないバルコニー床と、バルコニー床の両側縁に立設された袖壁１ａ、１ｂと、バルコニー床の前縁に立設されて前記両袖壁１ａ、１ｂの先端同士を連結する前壁１ｃとで形成されており、本実施形態では前記両袖壁１ａ、１ｂ及び前壁１ｃをバルコニー壁１としている。各バルコニー壁１は単数又は複数の壁パネル１４からなり、図１等に示すように各壁パネル１４はパネル枠１５の屋内３２側（バルコニー側）の面に屋内側外装材１６を設けると共にパネル枠１５の屋外３３側（バルコニーの反対側）の面に屋外側外装材１７を設けてなる。
【００１４】
各バルコニー壁１の上端部に固着される取付金具２は図５等に示すように横片部８ａと縦片部８ｂとで構成される断面逆Ｌ字状の載置片１８で主体を構成している。この断面逆Ｌ字状の載置片１８の横片部１８ａの幅（即ち図１中矢印Ａに示すバルコニー壁厚み方向Ａの長さ）はバルコニー壁１の厚みと略同じであり、詳しくはバルコニー壁１の厚みよりもやや短い。横片部１８ａの屋外３３側（即ち本実施形態ではバルコニー壁１の一側面３０を屋外３３側に面する側面とし、以下の説明ではこのバルコニー壁１の一側面３０側を屋外３３側と規定している）の端には上方に突出する起立片９を設けてあり、また起立片９の上下方向の途中には屋内３２側（即ち本実施形態ではバルコニー壁１の他側面３１を屋内３３側に面する側面とし、バルコニー壁１の他側面３１側を屋内３２側と規定している）に向かって突出する係止用突片１０を設けてあり、これら起立片９及び係止用突片１０にて取付金具２の係止部４を形成している。また同横片部１８ａの前記係止部４よりも屋内３２側に位置する部分にはバルコニー壁１に取付けられる取付部２０を設けてあり、また該取付部２０よりも更に屋内３２側に位置する部分には上方に突出する被載置片１９を設けてあり、被載置片１９の上端は前記起立片９の上端よりもやや下方に位置している。
【００１５】
上記各バルコニー壁１の上端部及び該バルコニー壁１に固着される取付金具２の全体を覆う笠木３としては前壁用の笠木３ａと袖壁用の笠木３ｂの２種類の笠木３を用いており、各笠木３はその長手方向の長さが各バルコニー壁１の上端面の長手方向の長さと略同じ長さの長尺状に形成されている。各笠木３は、中央横片５ｃと、中央横片５ｃの幅方向の両端から下方に突設した両側縦片５ａ、５ｂとで主体が構成されており、下方に開口している。
【００１６】
各笠木３の中央横片５ｃは前述した取付金具２の起立片９の上端と被載置片１９の上端とを結ぶ線と平行となるように緩やかに傾斜している。また各笠木３の中央横片５ｃには下方に突出する垂下片１２を設けてあり、垂下片１２の下端には屋外３３側に向かって突出する被係止用突片１３を設けてあり、これら垂下片１２及び被係止用突片１３にて前記取付金具２の係止部４に係止される被係止部６を形成している。
【００１７】
笠木３の両側縦片５ａ、５ｂの内、屋内３２側の側縦片５ｂの下端部には、側縦片５ｂの下端を屋外３３側に折り曲げた後、その先端を下方に折り曲げ、更にその先端を屋内３２側に折り曲げてなるコ字状屈曲部２２を形成してあり、本実施形態では該コ字状屈曲部２２の縦片部２２ａを固着具打入部７としている。またコ字状屈曲部２２の下片部２２ｂは屋内３２側に行く程下方に位置するようにやや傾斜している。
【００１８】
笠木３の両側縦片５ａ、５ｂの内、屋外３３側の側縦片５ａの下端部には、該側縦部５ａの下端を屋内３２側に折り曲げた後、その先端を下方に折り曲げてなる断面逆Ｌ字状の逆Ｌ字状屈曲部２３を設けている。ここで図１に示すように笠木３の幅方向における逆Ｌ字状屈曲部２３の縦片部２３ａの屋内３２側の側面から固着具打入部７の屋外３３側の側面までの距離Ｄ１は、バルコニー壁１の厚みＤ２と取付け金具２の断面逆Ｌ字状の載置片１８の縦片部１８ｂの厚みＤ３とを加えた距離（Ｄ２＋Ｄ３）よりも大きくしてある（Ｄ１＞Ｄ２＋Ｄ３）。また笠木３の幅方向における固着具打入部７の屋外３３側の側面から被係止用突片１３の先端までの距離Ｄ４は、取付金具２の幅方向（即ちバルコニー壁厚み方向Ａ）における縦片部１８ｂの屋内３２側の側面から係止用突片１０の先端までの距離Ｄ５よりも大きくしてある（Ｄ４＞Ｄ５）。また笠木３の幅方向における縦片部２３ａの屋内３２側の側面から被係止用突片１３の先端までの距離Ｄ６は、バルコニー壁１の厚みＤ２から取付金具２の幅方向における縦片部１８ｂの屋外３３側の側面から係止用突片１０の先端までの距離Ｄ７を引いた長さ（Ｄ２−Ｄ７）よりも大きくしてある（Ｄ６＞Ｄ２−Ｄ７）。
【００１９】
また本実施形態の各笠木３の中央横片５ｃの幅方向の中央部には上方に突出する手摺り２４を取付けている。手摺り２４は、図６、図８に示すように笠木３と長手方向の長さが略同じ手摺り部２５と、該手摺り部２５の長手方向における複数の箇所から下方に垂設した支柱部２６とからなり、該手摺り２４は笠木３の中央横片５ｃに下方から打入したビスや釘等の固着具２７の脚部を各支柱部２６の下端部に固着することで笠木３に取付けられている。なお各支柱部２６は笠木３をバルコニー壁１に取付けた状態において取付金具２の上方位置に配されるものとする。
【００２０】
上記笠木３をバルコニー壁１に取付ける場合は例えば以下のようにして行う。まず図２に示すように各バルコニー壁１の上端部に防水テープ２８を貼着する。ここで防水テープ２８は図４に示すようにバルコニー壁１に沿って全長に亘って貼着されており、図３に示すようにバルコニー壁１の上端面及び該バルコニー壁１の上端部の両面に貼着されている。
【００２１】
次に図４に示すように上記防水テープ２８が貼着されたバルコニー壁１の上端面にバルコニー壁１に沿って複数の取付金具２を取付ける。本実施形態の取付金具２は、一つの壁パネル１４からなる各袖壁１ａ、１ｂの両端と、複数の壁パネル１４からなる前壁１ｃの両端と、該前壁１ｃを構成する隣合う壁パネル１４の接続部分とに夫々取付けられている。上記各バルコニー壁１の上端面へ取付金具２を取付ける場合は、まず図５に示すように各取付金具２の横片部１８ａをバルコニー壁１の上端面に載置すると共に縦片部１８ｂをバルコニー壁１の他側面３１の上端部に当接する。次いで取付部２０の上方より打入したビスや釘等の固着具２１（具体的にはφ４×１６Ｌのドリルビス）の脚部をバルコニー壁１の上端面部に打入し、これにより取付部２０をバルコニー壁１の上端面に固着する。なお本実施形態の取付部２０の上面には前記固着具２１を打入する位置に予めＶ溝が形成されているものとする。また本実施形態では図４に示すように２本のビス２１、２１を用いて取付部２０をバルコニー壁１の上端面に固着してあるものとする。
【００２２】
次に図６に示すように各バルコニー壁１の内、前壁１ｃを形成するバルコニー壁１の上端部に前壁用の笠木３ａを仮止めする。この笠木３ａの仮止めは、まず図７（ａ）に示すように前壁１ｃの上方に笠木３ａを配置する。この後、笠木３ａの側縦片５ａの縦片部２３ａの屋内３２側の側面をバルコニー壁１の屋外３３側の側面に沿わせながら笠木３を下方に移動し、図７（ｂ）に示すように笠木３ａの中央横片５ｃを各取付金具２の起立片９及び被載置片１９の上端に当接して笠木３を取付け金具２に載置すると共に笠木３の両側縦片５ａ、５ｂ間、即ち断面略下向きコ字状の笠木３ａの内側にバルコニー壁１の上端部及び取付金具２を配して、笠木３ａにてバルコニー壁１の上端部及び取付金具２を覆う。
【００２３】
次いで笠木３ａをその中央横片５ｃが取付金具２の起立片９及び被載置片１９の上端とに載置したまま屋外３３側の方向にスライドし（図７（ｂ）矢印参照）、これにより図７（ｃ）に示すように笠木３ａの固着具打入部７を取付金具２の縦片部１８ｂに当接すると共に、取付金具２の係止用突片１０の下面に笠木３ａの被係止用突片１３の上面を当接して係止部４に被係止部６を係止して笠木３ａが上方に浮き上がらないようにし、同時に笠木３ａの固着具打入部７を取付け金具２の屋内３２側の側面に当接した固着可能な状態に位置決めする。ここで前述したように笠木３ａの中央横片５ｃは起立片９の上端と被載置片部１９の上端とを結ぶ線と平行となるように傾斜しているため、笠木３ａを屋外３３側にスライドすると、笠木３ａの被係止用突片１３は徐々に上方に移動した後、その上面が係止用突片１０の下面に当接することとなり、これにより笠木３ａを屋外３３側にスライドするだけで容易に笠木３ａの被係止部６を取付金具２の係止部４に係止することができる。
【００２４】
このように前壁１ｃを形成するバルコニー壁１に前壁用の笠木３ａを仮止めした後、図８に示すように両袖壁１ａ、１ｂを形成する各バルコニー壁１の上端部に袖壁用の笠木３ｂを仮止めする。なお両袖壁１ａ、１ｂへの笠木３ｂの仮止めは上記した前壁用の笠木３ａの仮止めと同じであるため説明を省略する。
【００２５】
上記のように本実施形態の笠木３の取付け構造にあっては、バルコニー壁１の上方に配した笠木３を下方に移動した後、該笠木３を屋外３３側にスライドするといった動作だけで、笠木３にてバルコニー壁１の上端部を覆い、同時に係止部４と被係止部６とを係止し、同時に笠木３をその固着具打入部７が取付け金具２の屋内３２側の面に当接した固着可能な状態に位置決めできる。
【００２６】
そして上記のように各バルコニー壁１に笠木３を仮止めした後、図９に示すように各笠木３の固着具打入部７に屋内３２側からビスや釘等の固着具８（φ４×Ｌ３０のドリルビス）を打入し（図１参照）、固着具８の脚部をバルコニー壁１に固着して、笠木３を取付け金具２に本固定する。ここで固着具８は取付金具２の縦片部１８ｂを貫いており、縦片部１８ｂは笠木３の固着具打入部７とバルコニー壁１とに挟持されている。なお固着具打入部７の屋内３２側の側面には前記固着具８を打入する位置に予めＶ溝が形成されているものとする。
【００２７】
しかして図１に示すように笠木３はバルコニー壁１の上端部に取付けられることとなる。ここでバルコニー壁１に取付けた取付金具２は、横片部１８ａの屋外３３側の端がバルコニー壁１の屋外３３側の側面よりもやや屋内３２側に位置しており、また被係止部６がバルコニー壁１の厚み方向Ａにおける中間よりも屋外３３側に偏った位置に配され、また取付部２０はバルコニー壁１の厚み方向Ａにおける中間よりも屋外３３側に偏った位置に配され、さらには被載置片１９はバルコニー壁１の厚み方向Ａにおける中間よりも屋内３２側に偏った位置に配されている。他方、バルコニー壁１に取付けた笠木３にあっては、係止部４がバルコニー壁１の厚み方向Ａにおける中間よりも屋外３３側に偏った位置に配されている。
【００２８】
またこの笠木３をバルコニー壁１に取付けた状態においては、笠木３の側縦片５ａの内、最も屋内３２側に位置する部分である縦片部２３ａとバルコニー壁１との間に、取付け状態における取付金具２の係止用突片１０の先端と笠木３の被係止突片１３の先端とのバルコニー壁厚み方向Ａにおける距離Ｄ８よりも大きい隙間Ｓ１が形成され、また笠木３の縦片部２３ａと取付金具２との間にも、取付金具２の係止突片１０の先端と笠木３の被係止突片１３の先端とのバルコニー壁厚み方向Ａにおける距離Ｄ８よりも大きい隙間Ｓ２が形成されている。
【００２９】
上記の笠木３の取付け構造により、笠木３を屋外３３側における係止部４と被係止部６の係止と、屋内３２側における固着具打入部７のバルコニー壁１への固着具による固着のみで、笠木３をバルコニー壁１に取付けることができ、この場合、バルコニー壁１の屋外３３側に設けた被係止部６を係止部４に係止するだけで簡単に長尺の笠木３を取付金具２に係止することができ、しかも前記係止部４と被係止部６との係止により笠木３を仮止めした状態で固着具打入部７をバルコニー壁１の上端部に固着することができて、これらにより笠木３の取付けが簡単になり、尚且つこの場合、バルコニー壁１の上端部に笠木３の固着具打入部７を固着具８により固着することで笠木３を取付金具２に強固に取付けることができる。また本実施形態では固着具打入部７を笠木３の両側縦片５ａ、５ｂの内、屋内３２側の側縦片５ｂに設けているため、該固着具打入部７を固着具８によりバルコニー壁１の上端部に固着する際には、作業者はバルコニーに立って屋内側３２から取付け作業ができ、笠木３の取付け作業が更に簡単になる。
【００３０】
また前述したように笠木３の側縦片５ａとバルコニー壁１との間及び、笠木３の側縦片５ａと取付金具２との間の夫々に、バルコニー壁厚み方向Ａにおける係止用突片１０の先端と被係止用突片１３の先端との間の距離よりも大きい隙間Ｓ１、Ｓ２を形成することで、前述のように笠木３をバルコニー壁１及び取付金具２の上方に配置した後に逆Ｌ字状屈曲部２３の縦片部２３ｂをバルコニー壁１の屋外３３側の面に沿わせながら下方に移動する際に、笠木３ａの被係止部６と取付金具２の係止部４とが干渉することなく、笠木３ａの内側にバルコニー壁１の上端部及び取付金具２を配することができ、笠木３ａの仮止め作業が簡単になる。
【００３１】
なお本実施形態では取付金具２の主体を構成する載置片１８を断面逆Ｌ字状に形成した例を示したが、該載置片１８に縦片部１８ｂを設けず、載置片１８を上記実施形態における横片部１８ａからなる横片状に形成しても良く、この場合笠木３の固着具打入部７は取付金具２の縦片部１８ｂを介さずバルコニー壁１に直接固着されるものである。
【図面の簡単な説明】
【００３２】
【図１】本発明の実施の形態の一例を示し、笠木及び取付金具をバルコニー壁に取付けた状態を示す断面図である。
【図２】同上のバルコニー壁に防水テープを貼着する作業を説明する斜視図である。
【図３】同上のバルコニー壁に防水テープを貼着した状態を示す断面図である。
【図４】同上のバルコニー壁に取付金具を取付ける作業を説明する斜視図である。
【図５】同上の断面図である。
【図６】同上のバルコニー壁に前壁用の笠木を仮止めする作業を説明する斜視図である。
【図７】（ａ）〜（ｃ）は同上のバルコニー壁に笠木を仮止めする際の取付手順を順に説明する断面図である。
【図８】同上のバルコニー壁に袖壁用の笠木を仮止めする作業を説明する斜視図である。
【図９】同上の笠木を取付け金具に本固定する作業を説明する斜視図である。
【符号の説明】
【００３３】
Ａ  バルコニー壁厚み方向
Ｓ１  隙間
Ｓ２  隙間
１  バルコニー壁
２  取付金具
３  笠木
４  係止部
５ａ、５ｂ  両側縦片
５ｃ  中央横片
６  被係止部
７  固着具打入部
８  固着具
９  起立片
１０  係止用突片
１２  垂下片
１３  被係止用突片
【図１】
2005105671.tif 000003
【図２】
2005105671.tif 000004
【図３】
2005105671.tif 000005
【図４】
2005105671.tif 000006
【図５】
2005105671.tif 000007
【図６】
2005105671.tif 000008
【図７】
2005105671.tif 000009
【図８】
2005105671.tif 000010
【図９】
2005105671.tif 000011